(57)【要約】  【課題】冷蔵庫の引出し扉の貯蔵室内の仕切り板の取付け性の向上を図ることにより、縦仕切り板に固定している引き出し式扉を摺動するためのローラー位置を安定にし、引き出し式扉の取付け位置を安定にすることができる冷蔵庫を提供する。  【解決手段】横仕切り板１８と縦仕切り板２０の前面Ｔ字部に引っ掛け構造を備え、横仕切り板１８のツメ挿入穴に対し、縦仕切り板のツメを冷蔵庫の開口部側から挿入しつつ、縦仕切り板のリブ（凸部）３２、リブ（凸部）３３を横仕切り板のリブ受け面（凹部）２９とリブ受け面（凹部）３０に挿入し、縦仕切り板２０と横仕切り板１８の勘合を行うことで、縦仕切り板２０取付け位置の安定性が確保される。【選択図】図４
2007040672.tif 000002
【特許請求の範囲】
【請求項１】
外箱内に内箱を配置し、前記両箱間に発泡性断熱材を充填して冷蔵庫本体を構成し内部に貯蔵室を形成した冷蔵庫において、前記貯蔵室を上下に仕切る横仕切り板と前記横仕切り板の下部に位置し貯蔵室を左右に仕切る縦仕切り板とを備え、前記両仕切り板の前面Ｔ字部に引っ掛け構造を持つことを特徴とする冷蔵庫。
【請求項２】
前記両仕切り板の前面Ｔ字部に上下方向を安定するための凹凸構造を設けた請求項１に記載の冷蔵庫。
【請求項３】
前記両仕切り板の前面Ｔ字部に左右方向を安定するための凹凸構造を設けた請求項１に記載の冷蔵庫。
【請求項４】
前記両仕切り板の前面Ｔ字部に前後方向を安定するためのツメ形状を設けた請求項１に記載の冷蔵庫。
【発明の詳細な説明】
【技術分野】
【０００１】
本発明は、縦仕切り板と横仕切り板によって冷蔵庫の貯蔵室を、左右、上下に仕切る冷蔵庫に関するものである。
【背景技術】
【０００２】
従来、この種の冷蔵庫は、図５、６の構成となっている（例えば、特許文献１参照）。
【０００３】
図５は、特許文献１に記載された従来の冷蔵庫庫内の発泡体の外観斜視図である。図６（ａ）は、従来の横仕切り板の斜視図であり、図６（ｂ）は、従来の縦仕切り板の斜視図であり、図６（ｃ）は、従来の横仕切り板と縦仕切り板の勘合状態の斜視図である。
【０００４】
図５に示すように、鉄板などを折曲加工した外箱１と、ＡＢＳ樹脂等のプラスチック板を真空成形加工した内箱２と、発泡性断熱材３と、貯蔵室４を上下に仕切る樹脂製の横仕切り板５，６と、貯蔵室４を左右に仕切る樹脂製の縦仕切り板７から構成されており、外箱１内に内箱２を配置し、さらに横仕切り板５，６と縦仕切り板７を内箱２に挿入した後、発泡性断熱材３を充填して冷蔵庫本体を構成している。また、図６に示すように、縦仕切り板７は、横仕切り板５のツメ挿入穴８に対し、縦仕切り板のツメ９を引っ掛け固定し、さらに発泡性断熱材３を横仕切り板の天面穴１０から洩らすことで縦仕切り板７の固定を行っている。また、縦仕切り板７には引き出し式扉１１，１２を前後方向に移動させるためのローラー１３が取り付けられている。
【特許文献１】特開２００１−１０８３５９号公報
【発明の開示】
【発明が解決しようとする課題】
【０００５】
しかしながら、上記従来の構成では、縦仕切り板のツメ９がローラー１３に対し奥行き方向で離れているため、発泡性断熱材３の充填時に、縦仕切り板７の位置決めがバラツクという課題を有していた。これは縦仕切り板７に取り付けられている引き出し式扉１１，１２を前後方向に移動させるためのローラー１３の位置がバラツクことになり、引き出し式扉の取付け位置の不安定性につながる。
【０００６】
本発明は、上記従来の課題を解決するもので、縦仕切り板取付け時の位置決めをさらに向上させ、引き出し式扉の取付け位置を安定にすることができる冷蔵庫を提供することを目的とする。
【課題を解決するための手段】
【０００７】
上記従来の課題を解決するために、本発明の冷蔵庫は、貯蔵室を上下に仕切る横仕切り板と前記横仕切り板の下部に位置し貯蔵室を左右に仕切る縦仕切り板の前面Ｔ字部に引っ掛け構造を有したものである。
【０００８】
これによって、前記縦仕切り板取付け位置の安定性のさらなる確保が可能となる。
【発明の効果】
【０００９】
本発明の冷蔵庫は、縦仕切り板に取付けられている引き出し式扉を前後方向に移動させるためのローラー位置を安定にすることにより、引き出し式扉の取付け位置を安定にすることができる。
【発明を実施するための最良の形態】
【００１０】
請求項１に記載の発明は、外箱内に内箱を配置し、前記両箱間に発泡性断熱材を充填して冷蔵庫本体を構成し内部に貯蔵室を形成した冷蔵庫において、前記貯蔵室を上下に仕切る横仕切り板と前記横仕切り板の下部に位置し貯蔵室を左右に仕切る縦仕切り板とを備え、前記両仕切り板の前面Ｔ字部に前記縦仕切り板の位置決めを向上させる引っ掛け構造を持つことにより、貯蔵室を左右に仕切る縦仕切り板の位置固定の決め込みが可能となり、縦仕切り板に取り付けられている引き出し式扉を前後に移動させるためのローラー位置が安定し、引き出し式扉の取付け位置を安定にすることができる。
【００１１】
請求項２に記載の発明は、請求項１に記載の発明において、両仕切り板の前面Ｔ字部に上下方向を安定するための凹凸構造を設けたことにより、縦仕切り板に取り付けられている引き出し式扉を前後に移動させるためのローラー位置（上下方向）が安定し、引き出し式扉の取付け位置（上下方向）を安定にすることができる。
【００１２】
請求項３に記載の発明は、請求項１に記載の発明において、両仕切り板の前面Ｔ字部に左右方向を安定するための凹凸構造を設けたことにより、縦仕切り板に取り付けられている引き出し式扉を前後に移動させるためのローラー位置（左右方向）が安定し、引き出し式扉の取付け位置（左右方向）を安定にすることができる。
【００１３】
請求項４に記載の発明は、請求項１に記載の発明において、両仕切り板の前面Ｔ字部に前後方向を安定するためのツメ形状を設けたことにより、縦仕切り板に取り付けられている引き出し式扉を前後に移動させるためのローラー位置（前後方向）が安定し、引き出し式扉の取付け位置（前後方向）を安定にすることができる。
【００１４】
以下、本発明の実施の形態について、図面を参照しながら説明する。なお、この実施の形態によってこの発明が限定されるものではない。
【００１５】
（実施の形態１）
図１は、本発明による実施の形態１における冷蔵庫庫内の発泡体の外観斜視図である。図２（ａ）は、同実施の形態の横仕切り板の斜視図であり、図２（ｂ）は、同実施の形態の縦仕切り板の斜視図であり、図２（ｃ）は、同実施の形態の横仕切り板と縦仕切り板の勘合状態の斜視図である。図３（ａ）は、同実施の形態の横仕切り板の部分拡大図であり、図３（ｂ）は、同実施の形態の縦仕切り板の部分拡大図である。図４（ａ）は、同実施の形態の横仕切り板と縦仕切り板の勘合状態の斜視図であり、図４（ｂ）は、同実施の形態の横仕切り板と縦仕切り板の勘合状態の部分拡大図である。
【００１６】
図１において、冷蔵庫は鉄板などを折曲加工した外箱１４、と硬質樹脂製のＡＢＳ樹脂等のプラスチック板を真空成形加工した内箱１５、と発泡性断熱材１６と、貯蔵室１７を上下に仕切る樹脂製の横仕切り板１８、１９と、貯蔵室１７左右に仕切る樹脂製の縦仕切り板２０から構成されている。
【００１７】
図２において、横仕切り板１８は、ツメ挿入穴２１、と結合穴２２、とリブ挿入部２３から構成される。縦仕切り板２０は、引き出し式扉２４，２５を前後方向に移動させるためのローラー２６、とツメ２７、とリブ部２８から構成されている。図３において、横仕切り板のリブ挿入部２３は、リブ受け面（凹部）２９、とリブ受け面（凹部）３０、とツメ部（凸部）３１から構成され、縦仕切り板リブ部２８は、リブ（凸部）３２、とリブ（凸部）３３、とツメ挿入部（凹部）３４から構成されている。
【００１８】
以上のように構成された冷蔵庫について以下その動作について説明する。
【００１９】
まず、冷蔵庫は外箱１４と内箱１５と横仕切り板１８、１９と縦仕切り板２０が挿入された後、外箱１４と内箱１５間に発泡性断熱材１６が充填される。縦仕切り板２０の組立方法は、横仕切り板１８のツメ挿入穴２１に対し、縦仕切り板のツメ２７を冷蔵庫の開口部側から挿入しつつ、縦仕切り板のリブ（凸部）３２、リブ（凸部）３３を横仕切り板のリブ受け面（凹部）２９とリブ受け面（凹部）３０に挿入し、さらに縦仕切り板のツメ挿入穴（凹部）３４を横仕切り板のツメ（凸部）３１の奥まで挿入することで、縦仕切り板２０と横仕切り板１８の勘合を行い、さらに発泡性断熱材１６を横仕切り板の結合穴２２から洩らすことで縦仕切り板２０のさらなる固定を行う。
【００２０】
以上のように、本実施の形態においては貯蔵室を上下に仕切る横仕切り板と前記横仕切り板の下部に位置し貯蔵室を左右に仕切る縦仕切り板の前面Ｔ字部に引っ掛け構造を有することで、縦仕切り板取付け位置の安定性がさらに確保される。そして、縦仕切り板に取り付けられている引き出し式扉を前後方向に移動させるためのローラー位置を安定にすることにより、引き出し式扉の取付け位置をさらに安定にすることができる。
【産業上の利用可能性】
【００２１】
以上のように、本発明にかかる冷蔵庫は、貯蔵室を分ける仕切り板の取り付け性を向上させることが可能となるので、引き出し式扉で構成される貯蔵室の縦仕切り板のみでなく、回転式扉で構成される貯蔵室の縦仕切り板の用途にも適用できる。
【図面の簡単な説明】
【００２２】
【図１】本発明による実施の形態１における冷蔵庫庫内の発泡体の外観斜視図
【図２】（ａ）同実施の形態の横仕切り板の斜視図（ｂ）同実施の形態の縦仕切り板の斜視図（ｃ）同実施の形態の横仕切り板と縦仕切り板の勘合状態の斜視図
【図３】（ａ）同実施の形態の横仕切り板の部分拡大図（ｂ）同実施の形態の縦仕切り板の部分拡大図
【図４】（ａ）同実施の形態の横仕切り板と縦仕切り板の勘合状態の斜視図（ｂ）同実施の形態の横仕切り板と縦仕切り板の勘合状態の部分拡大図
【図５】従来の冷蔵庫庫内の発泡体の外観斜視図
【図６】（ａ）従来の横仕切り板の斜視図（ｂ）従来の縦仕切り板の斜視図（ｃ）従来の横仕切り板と縦仕切り板の勘合状態の斜視図
【符号の説明】
【００２３】
１４  外箱
１５  内箱
１６  発泡性断熱材
１７  貯蔵室
１８  横仕切り板
１９  横仕切り板
２０  縦仕切り板
２３  リブ挿入部
２８  リブ部
２９  リブ受け面（凹部）
３０  リブ受け面（凹部）
３１  ツメ（凸部）
３２  リブ（凸部）
３３  リブ（凸部）
３４  ツメ挿入部（凹部）
【図１】
2007040672.tif 000003
【図２】
2007040672.tif 000004
【図３】
2007040672.tif 000005
【図４】
2007040672.tif 000006
【図５】
2007040672.tif 000007
【図６】
2007040672.tif 000008